(57)【要約】本発明は、並んで配置され、ハウジング（６）に対して収納位置と使用位置との間で旋開かつ旋閉可能な２つのハサミ刃（１、２）と作動レバー（４）とを有し、使用位置で、一方のハサミ刃（１）をハウジング（６）に対して固定し、他方の可動ハサミ刃（２）を作動レバー（４）により、ドライバ（１７）を介してばね力とは逆の方向に閉じることが可能であり、更なるドライバ（１９）が設けられ、ドライバ（１９）を使用して作動レバー（４）および可動ハサミ刃（２）を使用位置で作動接続することができ、これにより、作動レバー（４）を介して可動ハサミ刃（２）を閉位置から開位置へ移動することができ、ハサミが旋開かつ旋閉されるときに作動接続が遮断される旋開バサミに関する。
2004502509.tif 000002
【特許請求の範囲】
【請求項１】
並んで配置され、ハウジング（６）に対して収納位置と使用位置との間で旋開かつ旋閉可能な２つのハサミ刃（１、２）と作動レバー（４）とを有し、使用位置で、一方のハサミ刃（１）をハウジング（６）に対して固定し、他方の可動ハサミ刃（２）を作動レバー（４）により、ドライバ（１７）を介してばね力とは逆の方向に閉じることが可能な旋開バサミにおいて、更なるドライバ（１９）が設けられ、該ドライバ（１９）を使用して前記作動レバー（４）および可動ハサミ刃（２）を使用位置で作動接続することができ、これにより、前記作動レバー（４）を介して前記可動ハサミ刃（２）を閉位置から開位置へ移動することができ、前記ハサミ刃が旋開かつ旋閉されるときに前記作動接続が遮断されることを特徴とする旋開バサミ。
【請求項２】
前記更なるドライバ（１９）が弾性的に移動可能であることを特徴とする請求項１記載の旋開バサミ。
【請求項３】
前記作動接続が密な嵌合であることを特徴とする請求項１又は２記載の旋開バサミ。
【請求項４】
前記作動接続が、前記ハサミ刃を旋開かつ旋閉することにより遮断可能であることを特徴とする請求項１乃至３のうちいずれか一項に記載の旋開バサミ。
【請求項５】
前記可動ハサミ刃（２）が、使用位置でばね（８）により開位置へプレストレス印加され、前記更なるドライバ（１９）が、前記ばね（８）を介して前記可動ハサミ刃（２）に作用することを特徴とする請求項１乃至４のうちいずれか一項に記載の旋開バサミ。
【請求項６】
前記ばね（８、１８）が、前記更なるドライバ（１９）を上に押圧可能な板ばねとして設計されることを特徴とする請求項５記載の旋開バサミ。
【請求項７】
前記更なるドライバ（１９）が、前記可動ハサミ刃（２）のための移動偏向要素（５）を介して前記可動ハサミ刃（２）に作動接続可能であることを特徴とする請求項１乃至６のうちいずれか一項に記載の旋開バサミ。
【請求項８】
２つの板ばね（８、１８）が並んで配置され、一方の板ばね（１８）のヘッド（１９）が他方の板ばね（８）のヘッド（８ｃ）のピン（２０）に係合可能であることを特徴とする請求項６又は７記載の旋開バサミ。
【請求項９】
前記ヘッド（１９）が、収納位置および／または使用位置でのハサミ刃（１、２）の開位置で前記ピン（２０）に対してある量の遊びを有することを特徴とする請求項８記載の旋開バサミ。
【請求項１０】
突出部（１６）が前記作動レバー（４）に配置され、前記更なるドライバ（１９）が前記突出部を介して移動可能であることを特徴とする請求項１乃至９のうちいずれか一項に記載の旋開バサミ。
【請求項１１】
前記突出部（１６）が、前記可動ハサミ刃（２）のための前記ドライバ（１７）を支持することを特徴とする請求項１０記載の旋開バサミ。
【請求項１２】
並んで配置され、ハウジング（６）に対して収納位置と使用位置との間で旋開かつ旋閉可能な２つのハサミ刃（１、２）と作動レバー（４）とを有し、使用位置で、一方のハサミ刃（１）を前記ハウジング（６）に対して固定し、他方の可動ハサミ刃（２）を前記作動レバー（４）により、ドライバ（１７）を介してばね力とは逆の方向に閉じることが可能な、特に請求項１乃至１１のうちいずれか一項に記載の旋開バサミであって、前記可動ハサミ刃（２）が２つの別個のばね（８、１８）の作用を受けることができ、一方のばね（１８）が、２つのハサミ刃（１、２）の互いに対する所定の旋開位置または傾斜位置でのみ有効となることを特徴とする旋開バサミ。
【請求項１３】
前記２つのばね（８、１８）が板ばねとして設計され、平行に並んで配置されることを特徴とする請求項１２記載の旋開バサミ。
【請求項１４】
一方の板ばね（１８）のヘッド（１９）が他方の板ばね（８）のヘッド（８ｃ）のピン（２０）に係合することを特徴とする請求項１３記載の旋開バサミ。
【請求項１５】
前記ヘッド（１９）が、収納位置および／または使用位置でのハサミ刃（１、２）の開位置でピン（２０）に対してある量の遊びを有することを特徴とする請求項１４記載の旋開バサミ。
【発明の詳細な説明】
【０００１】
本発明は、請求項１および１２のプリアンブルによる旋開バサミに関する。
この種の多目的手持ち器具用の旋開バサミは、ＷＯ９９／２０４３８から公知であり、並んで配置された２つのハサミ刃と作動レバーとを備えている。これら２つのハサミ刃及び作動レバーは、ハウジングに対して収納位置と使用位置との間で旋開かつ旋閉可能となっている。使用位置においては、一方のハサミ刃はハウジングに対して固定され、他方のハサミ刃は作動レバーにより、ドライバを介してばね力とは逆の方向に閉じることが可能となっている。
【０００２】
しかし、この種の旋開バサミでは、切断中にハサミ刃が引っ掛かった場合にハサミ刃を開くことが困難である。これは、作動レバーが一方向にしか作用しないにもかかわらず、ばね力によってハサミ刃が開くが、例えば汚れによる引っ掛かりの場合には、このばね力はハサミ刃を再び開くのに十分なものではないからである。そのためハサミ刃を互いに離れる方向へ手で引っ張らなければならないが、これは困難である。
【０００３】
したがって、本発明の目的は、閉使用位置で引っ掛かったハサミ刃を再び互いからまっすぐに解放できるようにする、請求項１および１２のプリアンブルによる旋開バサミを提供することである。
本目的は、請求項１および１２の特徴部分により達成される。
これにより、作動レバーを使用して、ハサミ刃を閉じるための通常の作動方向とは逆の方向に、対応する角度だけ作動レバーを旋回させることにより、引っ掛かったハサミ刃を再び解放することが可能となる。
【０００４】
本発明の更なる構成について、以下の説明およびサブクレームから推測することができる。
以下で、添付図面に示す例示的な実施形態を参照しながら、本発明についてさらに詳細に説明する。
【０００５】
図示した旋開バサミは、リベット３を介して互いに関節式に接続された２つのハサミ刃１、２を含む。旋開バサミは、ハサミ刃２に係合し、かつ移動偏向要素５を介して使用位置で移動可能な作動レバー４も含む。ハサミ刃１は、使用位置で閉鎖され、したがって固定される。ハサミ刃１、移動偏向要素５、および作動レバー４は、並んで重ねて配置され、ハウジング６（一部のみを板状に示す）に取り付けられた軸ピン７上で回転できるようになっている。移動偏向要素５は、ここでは板ばね８の作用を受ける。板ばね８は、ハウジング内に支持されたピン９上に配置されると共に、移動偏向要素５とは逆の方向を向く１つの脚部８ａによりハウジング６内のピン１０上に支持され、また、他方の脚部８ｂの端部のヘッド８ｃにより、移動偏向要素５に作動接続される。これにより、可動ハサミ刃２が、移動偏向要素５を介して、旋開バサミの使用位置で開位置へプレストレス印加されるようになっている。
【０００６】
板ばね８と同様に、ピン９上に配置され対応して設計される更なる板ばね１１を使用して、固定ハサミ刃１が掛止により旋開位置に閉鎖され、したがって使用位置に固定される。
移動偏向要素５は、可動ハサミ刃２のシャンク端部での対応する凹部１３に係合する円形扇形突出部１２を有している。その結果、移動偏向要素５が作動レバー４により（図の）反時計方向に回転されると、可動ハサミ刃２が固定ハサミ刃１に対して開位置から閉位置へ移動する。
【０００７】
突出部１２は、固定ハサミ刃１の円形に湾曲したスロット１５に収容されるピン１４を支持し、これにより旋開バサミの開き角度が決まる。
作動レバー４は、軸ピン７を超えて突出する突出部１６を有すると共に、可動ハサミ刃２の方向へ９０゜曲がった、移動偏向要素５と係合可能なドライバ１７を有し、ハサミ刃１、２を閉じるために作動レバー４を旋回させる際に、移動偏向要素５を同様に回転させ、可動ハサミ刃２を旋回させるようにする。移動偏向要素５は板ばね８のヘッド８ｃに係合するため、この旋開バサミの作動は板ばね８の偏向を伴い、この板ばね８は、作動レバー４が解放されると前記ハサミを再び開位置に戻すように案内する。
【０００８】
板ばね８と並んで、付加板ばね１８が設けられる。付加板ばね１８は、一端部を介してハウジング６のピン１０により同様に支持されて、ピン９を中心に移動することができ、かつ他端部のヘッド１９を介してピン２０に隣接して配置される。ピン２０は板ばね８のヘッド８ｃから突出し、付加板ばね１８がピン２０に作動接続可能となる。
図２ａおよび図２ｂからわかるように、旋開バサミの旋閉収納位置で、ピン２０は付加板ばね１８のヘッド１９から外れる。
旋開バサミを旋開する動作が開始する（図３ａおよび図３ｂ参照）と、可動ハサミ刃２が移動偏向要素５に作用して、軸ピン７を中心とした旋開角度に従って移動偏向要素５を回転させる。移動偏向要素５は板ばね８のヘッド８ｃに作用してヘッド８ｃを内側に押圧し、これにより、ピン２０が付加板ばね１８のヘッド１９に係合する。ただし、係合は、ある旋開角度、例えば１０゜から行われ、ハサミを容易に把持できる位置に達するまで旋開動作が妨げられることがないようにする。同時に、ハサミ刃１は板ばね１１に作用し、この板ばね１１は前記刃を旋閉位置にプレストレス印加し、したがって板ばねは同様に偏向される。
【０００９】
ハウジング６から、手で完全に旋開するためにハサミ刃１、２を容易に把持できるようになる角度まで旋開バサミを旋開する動作は、例えばＷＯ９９／２０４３８に記載されているような、対応する開放機構を介して開始することができる。旋開動作が完了すると、作動レバー４がドライバ１７を介して支持され、これにより、最終的にハサミ刃１、２が開いた状態で、図４ａおよび図４ｂに示した使用位置に達する。
【００１０】
板ばね１１がハウジング６に対してハサミ刃１をブロックするこの完全旋開状態で、付加板ばね１８のヘッド１９とピン２０との間にある量の遊びがあり、一方、ドライバ１７を介して作動レバー４を旋閉位置から旋開位置へ送るのに役立つ移動偏向要素５のノーズ２１は、前記ドライバに当接し、さらにドライバ１７を支持する突出部１６は、付加板ばね１８のヘッド１９に当接する。この位置で、板ばね８のヘッド８ｃは、ノーズ２１と移動偏向要素５の基本的に弧状の湾曲部分２３との間の対応する凹部２２に収容され、前記湾曲部分は、わずかに凹んで突出部１２へ延び、かつ収納位置で、可動ハサミ刃２をこの位置へプレストレス印加するのに役立つ部分２４に移行する（図２ａ、図２ｂ参照）。
【００１１】
次に、作動レバー４をハウジング６側へ押圧することにより旋開バサミを作動させることができ、これにより、ハサミ刃１、２が切断のために閉じられる（図５ａ、図５ｂ参照）。この場合、移動偏向要素５は軸ピン７を中心に回転されて、板ばね８のヘッド８ｃを付加板ばねのヘッド１９の方向に押圧し、その結果、最終的にピン２０がヘッド１９に係合し、したがって、閉動作が続くにつれて付加板ばね１８に応力を印加する。これにより、ハサミ刃１、２をクランプ解除するために最大可能ばね力が必要となる閉動作の終了に向けて、ハサミ刃１、２を閉じるのに必要な力が次第に増加する。この次第に増加する力は、ハサミの好ましい切断動作に備えたものである。一方、切断力は、ハサミ刃２の閉移動の大部分にわたって付加板ばね１８により増加されることはない。
【００１２】
ハサミ刃１、２が閉じることにより応力を受ける板ばね８、１８によって、通常、作動レバー４が解放されるときにハサミ刃１、２が開く。
板ばね８、１８が応力を受けるにもかかわらず２つのハサミ刃１、２が引っ掛かる場合には、閉じたハサミ刃１、２に対応する位置Ａと、突出部１６がヘッド１９に接触して位置する位置Ｂとの間を自由に移動可能な作動レバー４が、位置Ｂを介してハウジング６から離れる方向へ、図６ａおよび図６ｂによる位置Ｃまで旋回して、再びハサミ刃１、２を解放することで十分であり、これにより、ハサミ刃１、２を開位置へ戻すことができる。この旋回動作により、作動レバー４の突出部１６は、付加板ばね１８のヘッド１９をピン２０の方向へ送り、その結果、ヘッド１９、従って板ばね８のヘッド８ｃが対応して移動し、これにより、板ばね８のヘッド８ｃを凹部２２に収容する移動偏向要素５が、図６ｂに示す位置まで回転される。したがって、可動ハサミ刃２は移動偏向要素５を介して強制的にクランプ解除され、固定ハサミ刃１に対して再び開位置となる。
【００１３】
旋開バサミを旋閉するために、使用位置に固定された固定ハサミ刃１は、分離機構（図示せず）を使用して閉鎖解除され、板ばね１１の力とは逆のハウジング６の方向へ旋回され、その結果、リベット３およびピン１４を介して可動ハサミ刃２および移動偏向要素５も同様に旋閉される。２つのハサミ刃１、２は、ここで、ハサミ刃の移動路内に突出し、かつ作動レバー４に属するサムノッチ２５に当たり、これにより、作動レバー４も同様に旋閉して２つのハサミ刃１、２の真下に保持される（図２ａ）。固定ハサミ刃１は、ここで板ばね１１により収納位置にプレストレス印加され、一方、移動偏向要素５は、ピン１４がスロット１５の端部に接触して配置されるまで板ばね８により移動され、この位置で、可動ハサミ刃２を閉位置に固定する。
【００１４】
実際には、２つの板ばね８、１８の代わりに１つの適宜の厚さの板ばねを使用することもできる。しかし、大きなばね力を達成するためには、２つの板ばね８、１８を使用することが好都合である。これは、ここで必要とされるタイプの板ばねが穴開けによってのみある厚さに製造可能であり、その後達成されるばね力が対応して限定されるためである。さらに、２つの板ばね８、１８を使用することにより、付加板ばね１８の力がハサミのすべての位置で有効となるわけではないという利点が提供される。
【００１５】
作動レバー５を可動ハサミ刃２に直接結合して、作動レバーのドライバ１７が可動ハサミ刃２に作用してハサミ刃１、２を閉じるようにしてもよい。その結果、移動偏向要素５が不要となる。この場合、更なるドライバを設けることが必要であり、このドライバを使用して作動レバー４および可動ハサミ刃２を使用位置で作動接続することができる。これにより、作動レバー４を介して可動ハサミ刃２を閉位置から開位置へ移動することができ、ハサミが旋開かつ旋閉されるときに作動接続が遮断され、すなわち更なるドライバが、ハサミ刃１、２を閉じるための回転方向とは逆の、作動レバー４の回転方向へのみ有効となる。
【図面の簡単な説明】
【図１】
ハサミ刃を閉じた、旋開状態の旋開バサミの斜視図である。
【図２ａ】
図１に対してわずかに修正した、旋閉状態の旋開バサミの側面図である。
【図２ｂ】
図２ａの拡大詳細図である。
【図３ａ】
図２ａの旋開バサミの旋開動作開始を示す図である。
【図３ｂ】
図３ａの拡大詳細図である。
【図４ａ】
開使用状態の、図２ａの旋開バサミを示す図である。
【図４ｂ】
図４ａの拡大詳細図である。
【図５ａ】
使用状態の、図２ａの閉じた旋開バサミを示す図である。
【図５ｂ】
図５ａの拡大詳細図である。
【図６ａ】
図１の旋開バサミが、引っ掛かったハサミ刃を解放することにより開く状態を示す図である。
【図６ｂ】
図６ａの詳細図である。
【図１】
2004502509.tif 000003
【図２ａ】
2004502509.tif 000004
【図２ｂ】
2004502509.tif 000005
【図３ａ】
2004502509.tif 000006
【図３ｂ】
2004502509.tif 000007
【図４ａ】
2004502509.tif 000008
【図４ｂ】
2004502509.tif 000009
【図５ａ】
2004502509.tif 000010
【図５ｂ】
2004502509.tif 000011
【図６ａ】
2004502509.tif 000012
【図６ｂ】
2004502509.tif 000013
【国際公開パンフレット】
2004502509.tif 000014
2004502509.tif 000015
2004502509.tif 000016
2004502509.tif 000017
2004502509.tif 000018
2004502509.tif 000019
2004502509.tif 000020
2004502509.tif 000021
2004502509.tif 000022
2004502509.tif 000023
2004502509.tif 000024
2004502509.tif 000025
2004502509.tif 000026
2004502509.tif 000027
【国際調査報告】
2004502509.tif 000028
2004502509.tif 000029
2004502509.tif 000030
2004502509.tif 000031